【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにおいて、
上記クライアントは、上記サーバに対してストリーミング配信要求を出して、ストリーミング再生を行うときのクライアント動作を予め設定することを特徴とするコンテンツ表示再生システム。
【請求項２】
上記クライアントは、上記ストリーミング再生を行うときに上記コンテンツの最初から再生を行う設定を可能とすることを特徴とする請求項１記載のコンテンツ表示再生システム。
【請求項３】
第１のクライアントとして表示再生部を、第２のクライアントとしてコンテンツ表示再生操作制御部とを備えてなるコンテンツ表示再生システムにおいて、上記第２のクライアントによって選択したコンテンツに対する表示再生操作制御により、上記サーバからの上記コンテンツを上記第１のクライアントにスロウ操作によって再生させるとき、上記第２のクライアントは上記第１のクライアントによる上記コンテンツの再生を、上記コンテンツの最初からの再生と設定することを特徴とする請求項１記載のコンテンツ表示再生システム。
【請求項４】
第１のクライアントとして表示再生部を、第２のクライアントとしてコンテンツ表示再生操作制御部とを備えてなるコンテンツ表示再生システムにおいて、上記第２のクライアントによって選択したコンテンツに対する表示再生操作制御により、上記サーバからの上記コンテンツを上記第１のクライアントにスロウ操作によって再生させるとき、上記第２のクライアントは上記第１のクライアントによる上記コンテンツの再生を、上記第２のクライアントのスロウ操作時の位置からの再生と設定することを特徴とする請求項１記載のコンテンツ表示再生システム。
【請求項５】
第１のクライアントとして表示再生部を、第２のクライアントとしてコンテンツ表示再生操作制御部とを備えてなるコンテンツ表示再生システムにおいて、上記第２のクライアントによって選択したコンテンツに対する表示再生操作制御により、上記サーバからの上記コンテンツを上記第１のクライアントにスロウ操作によって再生させるとき、上記第２のクライアントは上記第１のクライアントによる上記コンテンツの再生を、上記第２のクライアントのスロウ操作時の再生位置が、所定の時間設定に満たないときには、上記コンテンツの最初からと設定することを特徴とする請求項１記載のコンテンツ表示再生システム。
【請求項６】
第１のクライアントとして表示再生部を、第２のクライアントとしてコンテンツ表示再生操作制御部とを備えてなるコンテンツ表示再生システムにおいて、上記第２のクライアントによって選択したコンテンツに対する表示再生操作制御により、上記サーバからの上記コンテンツを上記第１のクライアントにスロウ操作によって再生させるとき、上記第１のクライアントにスロウ再生を受け付けるか否かをユーザに確認させるための確認画面を表示するか否かを設定することを特徴とする請求項１記載のコンテンツ表示再生システム。
【請求項７】
第１のクライアントとして表示再生部を、第２のクライアントとしてコンテンツ表示再生操作制御部とを備えてなるコンテンツ表示再生システムにおいて、上記第２のクライアントによる表示再生操作制御により、上記第１のクライアントによってストリーミング再生されている上記コンテンツをキャッチ操作により再生するとき、上記第２のクライアントは上記コンテンツの最初から再生を行う設定とすることを特徴とする請求項１記載のコンテンツ表示再生システム。
【請求項８】
第１のクライアントとして表示再生部を、第２のクライアントとしてコンテンツ表示再生操作制御部とを備えてなるコンテンツ表示再生システムにおいて、上記第２のクライアントによる表示再生操作制御により、上記第１のクライアントによってストリーミング再生されている上記コンテンツをキャッチ操作により再生するとき、上記第２のクライアントは上記キャッチ時の位置からコンテンツの再生を行う設定とすることを特徴とする請求項１記載のコンテンツ表示再生システム。
【請求項９】
第１のクライアントとして表示再生部を、第２のクライアントとしてコンテンツ表示再生操作制御部とを備えてなるコンテンツ表示再生システムにおいて、上記第２のクライアントによる表示再生操作制御により、上記第１のクライアントによってストリーミング再生されている上記コンテンツをキャッチ操作により再生するとき、上記第２のクライアントはキャッチ時に上記第１のクライアントによる再生位置が所定の設定時間に満たない場合、上記コンテンツの最初から再生を開始する設定とすることを特徴とする請求項１記載のコンテンツ表示再生システム。
【請求項１０】
第１のクライアントとして表示再生部を、第２のクライアントとしてコンテンツ表示再生操作制御部とを備えてなるコンテンツ表示再生システムにおいて、上記第２のクライアントによる表示再生操作制御により、上記第１のクライアントによってストリーミング再生されている上記コンテンツをキャッチ操作により再生するとき、キャッチ時に上記第１のクライアントによるストリーミング再生を停止するか否かを設定することを特徴とする請求項１記載のコンテンツ表示再生システム。
【請求項１１】
オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにおいて、
上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とすることを特徴とするコンテンツ表示再生システム。
【請求項１２】
オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにより適用されるコンテンツ表示再生方法において、
上記クライアントは、上記サーバに対してストリーミング配信要求を出し、ストリーミング再生を行うときのクライアント動作を予め設定することを特徴とするコンテンツ表示再生方法。
【請求項１３】
オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにより適用されるコンテンツ表示再生方法において、
上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とすることを特徴とするコンテンツ表示再生方法。
【請求項１４】
オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにより実行されるコンテンツ表示再生プログラムを記録している記録媒体において、
上記コンテンツ表示再生プログラムにより、上記クライアントは、上記サーバに対してストリーミング配信要求を出し、ストリーミング再生を行うときのクライアント動作を予め設定することを特徴とするコンテンツ表示再生プログラムであり、このコンテンツ表示再生プログラムを記録している記録媒体。
【請求項１５】
オーディオビジュアルコンテンツをストリーミング配信する少なくとも１台のサーバと、上記サーバからストリーミング配信された上記コンテンツをストリーミング再生する複数のクライアントをそれぞれ接続してなるコンテンツ表示再生システムにより実行されるコンテンツ表示再生プログラムを記録している記録媒体において、
上記コンテンツ表示再生プログラムは、
上記複数のクライアントの内の第１のクライアント向けにストリーミング配信中に、上記複数のクライアントの内の第２のクライアントからストリーミング配信要求を受けたとき、上記第１のクライアントの動作及び第２のクライアントの動作設定を上記第２のクライアントにより可能とするコンテンツ表示再生プログラムであり、このコンテンツ表示再生プログラムを記録していることを特徴とする記録媒体。
【請求項１６】
コンテンツ表示再生システムにあってオーディオビジュアルコンテンツをストリーミング配信するサーバと接続され、上記サーバからストリーミング配信された上記コンテンツをストリーミング再生するクライアントとして用いられる操作制御装置において、
上記サーバに対してストリーミング配信要求を出し、ストリーミング再生を行うときのクライアント動作を予め設定することを特徴とする操作制御装置。
【請求項１７】
上記操作制御装置へのストリーミング配信および上記サーバへのストリーミング配信要求は、無線通信によることを特徴とする請求項１６記載の操作制御装置。
【請求項１８】
コンテンツ表示再生システムにあってオーディオビジュアルコンテンツをストリーミング配信する少なくとも１台のサーバと接続され、上記サーバからストリーミング配信された上記コンテンツをストリーミング再生する複数のクライアントの内の一のクライアントとして用いられる操作制御装置において、
上記複数のクライアントの内の第１のクライアント向けにストリーミング配信中に、ストリーミング配信要求を出したときの、上記第１のクライアントの動作及び自身の動作を予め設定することを特徴とする操作制御装置。
【請求項１９】
上記操作制御装置は、携帯型であり、
上記操作制御装置へのストリーミング配信および上記サーバへのストリーミング配信要求は、無線通信によることを特徴とする請求項１８記載の操作制御装置。
【手続補正２】
【補正対象書類名】明細書
【補正対象項目名】００１８
【補正方法】変更
【補正の内容】
【００１８】
本発明に係るコンテンツ表示再生システムは、上記課題を解決するため、オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにおいて、上記クライアントは、上記サーバに対してストリーミング配信要求を出し、ストリーミング再生を行うときのクライアント動作を予め設定する。
【手続補正３】
【補正対象書類名】明細書
【補正対象項目名】００２０
【補正方法】変更
【補正の内容】
【００２０】
本発明に係るコンテンツ表示再生方法は、上記課題を解決するため、オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにより適用されるコンテンツ表示再生方法において、上記クライアントは、上記サーバに対してストリーミング配信要求を出し、ストリーミング再生を行うときのクライアント動作を予め設定する。
【手続補正４】
【補正対象書類名】明細書
【補正対象項目名】００２２
【補正方法】変更
【補正の内容】
【００２２】
本発明に係るコンテンツ表示再生プログラムを記録している記録媒体は、オーディオビジュアルコンテンツをストリーミング配信するサーバと、上記サーバからストリーミング配信された上記コンテンツをストリーミング再生するクライアントをそれぞれ少なくとも１台接続してなるコンテンツ表示再生システムにより実行されるコンテンツ表示再生プログラムを記録している記録媒体において、上記コンテンツ表示再生プログラムにより、上記クライアントは、上記サーバに対してストリーミング配信要求を出し、ストリーミング再生を行うときのクライアント動作を予め設定することを特徴とするコンテンツ表示再生プログラムであり、このコンテンツ表示再生プログラムを記録している。
【手続補正５】
【補正対象書類名】明細書
【補正対象項目名】００２４
【補正方法】変更
【補正の内容】
【００２４】
本発明に係る操作制御装置は、上記課題を解決するために、コンテンツ表示再生システムにあってオーディオビジュアルコンテンツをストリーミング配信するサーバと接続され、上記サーバからストリーミング配信された上記コンテンツをストリーミング再生するクライアントとして用いられるコンテンツ表示再生操作制御装置において、上記サーバに対してストリーミング配信要求を出し、ストリーミング再生を行うときのクライアント動作を予め設定する。
【手続補正６】
【補正対象書類名】明細書
【補正対象項目名】００２５
【補正方法】変更
【補正の内容】
【００２５】
本発明に係る操作制御装置は、上記課題を解決するために、コンテンツ表示再生システムにあってオーディオビジュアルコンテンツをストリーミング配信する少なくとも１台のサーバと接続され、上記サーバからストリーミング配信された上記コンテンツをストリーミング再生する複数のクライアントの内の一のクライアントとして用いられるコンテンツ表示再生操作制御装置において、上記複数のクライアントの内の第１のクライアント向けにストリーミング配信中に、ストリーミング配信要求を出したときの、上記第１のクライアントの動作及び自身の動作を予め設定する。
【手続補正７】
【補正対象書類名】明細書
【補正対象項目名】００４３
【補正方法】変更
【補正の内容】
【００４３】
図４は、コンテンツ供給部１２の機能ブロック図である。コンテンツ供給部１３についても同様である。コンテンツ供給部１２は、上記デジタルビデオレコーダなどのＡＶコンテンツサーバである。コンテンツ供給部１２は、ネットワークＩ／Ｆ部２０と、コンテンツ配信処理部２１と、コンテンツ蓄積部２２からなる。
【手続補正８】
【補正対象書類名】図面
【補正対象項目名】図１３
【補正方法】変更
【補正の内容】
【図１３】
2006332812.tif 000001